(57)【要約】【課題】末梢到達性に優れ、かつ吸引される異物による吸引ルーメンの閉塞を抑制することが可能な吸引カテーテルを実現する。【解決手段】吸引カテーテル（１０）は、吸引ルーメン（Ａ）の内壁に突起部４が設けられ、突起部（４）は、吸引ルーメン（Ａ）の内壁において、吸引部（３）における最近位端領域（１ｂ）よりも遠位端側に設けられている。【選択図】図２
2019013667.tif 000002
【特許請求の範囲】
【請求項１】
遠位端に吸引部を有する吸引ルーメンを備えた吸引チューブを備え、
前記吸引部は、前記吸引チューブの軸線に対して傾斜して形成された吸引口を有する吸引カテーテルであって、
前記吸引ルーメンの内壁に突起部が設けられ、
前記突起部は、前記吸引ルーメンを形成する内壁において、前記吸引部における最も近位端側の領域である最近位端領域よりも遠位端側に設けられていることを特徴とする吸引カテーテル。
【請求項２】
前記吸引チューブの軸線を基準として、前記吸引部における最も遠位端側の最遠位端位置側を第１側とし、該第１側と反対側を第２側としたとき、
前記突起部は、前記吸引ルーメンを形成する内壁における第１側の領域に設けられていることを特徴とする請求項１に記載の吸引カテーテル。
【請求項３】
前記軸線に対して垂直な断面での前記吸引ルーメンに対する前記突起部の許容最大占有面積は、前記最近位端領域から遠位端へ向かうに従って、前記突起部が設けられた位置に比例して増加し、
前記最近位端領域に設けられたときの前記許容最大占有面積は、吸引ルーメンの面積の５０％であり、
前記吸引部における最も遠位端側の最遠位端位置に設けられたときの前記許容最大占有面積は、吸引ルーメンの面積の１００％であることを特徴とする請求項１または２に記載の吸引カテーテル。
【請求項４】
前記軸線に対して垂直な断面における前記吸引ルーメンに対する前記突起部の許容最小占有面積は、吸引ルーメンの面積の１０％であることを特徴とする請求項１〜３の何れか１項に記載の吸引カテーテル。
【請求項５】
前記突起部は、複数設けられていることを特徴とする請求項１〜４の何れか１項に記載の吸引カテーテル。
【請求項６】
前記複数の突起部は、前記吸引チューブの軸線に垂直な方向に、互いに離間して設けられていることを特徴とする請求項５に記載の吸引カテーテル。
【発明の詳細な説明】
【技術分野】
【０００１】
本発明は,吸引カテーテルに関する。
【背景技術】
【０００２】
従来、血管などの脈管において狭窄あるいは閉塞が生じた場合、及び血栓により血管が閉塞してしまった場合の治療方法として、血栓を吸引して除去する治療法が有効である。このような治療法に使用するカテーテルは吸引カテーテルと呼ばれている。
【０００３】
吸引カテーテルを用いた治療では、吸引カテーテルを血管内の吸引対象部位近傍まで導くためにガイドワイヤを用いる。吸引カテーテルは、通常、吸引対象を吸引する吸引口を有する吸引ルーメンと、ガイドワイヤを挿入するためのガイドワイヤルーメンと、を有する。それゆえ、術者は、吸引カテーテルを血管内に挿入し血管内の吸引対象部位まで導くに際し、まず、ガイドワイヤを血管内に挿通し、ガイドワイヤの遠位側端部を吸引対象部位である血栓に保持させる。これにより、吸引カテーテルが吸引対象部位へ到達するためのガイドワイヤによる経路を確保する。その後、ガイドワイヤの手元側を吸引カテーテルのガイドワイヤルーメンの先端側に通して、吸引カテーテルを血管に挿入させる。ガイドワイヤに沿って吸引カテーテルを血管内で移動させることにより吸引対象部位に到達させ、吸引ルーメンから血栓を吸引する。それゆえ、吸引カテーテルには、吸引する対象である異物が存在する病変部位への到達性と、対象物をできる限り多く吸引するための吸引性能とが同時に求められる。
【０００４】
従来の吸引カテーテルとして、例えば特許文献１に記載された吸引カテーテルが挙げられる。特許文献１記載の吸引カテーテルは、先端部が斜めに形成された先端斜面に、血栓などの異物を吸引するための開口部が設けられている。そして、吸引カテーテルの軸方向に可動する異物切削手段が、開口部から一部が露出するように設けられている。
【先行技術文献】
【特許文献】
【０００５】
【特許文献１】特開２０１０−２２５６６号公報
【発明の概要】
【発明が解決しようとする課題】
【０００６】
ここで、吸引カテーテルの外径寸法を大きくし吸引口のサイズを大きくした場合、吸引カテーテルは、吸引性能が大きくなるが、細い血管からなる末梢部位まで挿入することが困難である。それゆえ、末梢到達性の観点から、吸引カテーテルの外径寸法を大きくするのには限界がある。
【０００７】
また、末梢到達性に優れた吸引カテーテルでは、吸引口または吸引ルーメンの内径が比較的小さいため、末梢血管内の巨大血栓を除去することが困難である。さらに、血栓は繊維質を多く含んでいる。このため、繊維質に引きずられて比較的大きな血栓が吸引口から吸引されるおそれがある。そして、このような大きな血栓により吸引ルーメンの閉塞が起こりやすくなり、吸引カテーテルによる吸引作業が長時間化するという問題がある。
【０００８】
特許文献１に記載の吸引カテーテルでは、異物切削手段は、開口部から露出する切削部と、外部から動力の付与を受けて切削部を従動させる動力受付部と、を有しており、構造が複雑化している。このため、末梢到達性を実現するために、吸引カテーテルの寸法を小さくすることは困難である。
【０００９】
本発明の一態様は、末梢到達性に優れ、かつ吸引される異物による吸引ルーメンの閉塞を抑制することが可能な吸引カテーテルを実現することを目的とする。
【課題を解決するための手段】
【００１０】
上記の課題を解決するために、本発明の一態様に係る吸引カテーテルは、遠位端に吸引部を有する吸引ルーメンを備えた吸引チューブを備え、前記吸引部は、前記吸引チューブの軸線に対して傾斜して形成された吸引口を有する吸引カテーテルであって、前記吸引ルーメンの内壁に突起部が設けられ、前記突起部は、前記吸引ルーメンを形成する内壁において、前記吸引部における最も近位端側の領域である最近位端領域よりも遠位端側に設けられていることを特徴としている。
【発明の効果】
【００１１】
本発明の一態様によれば、末梢到達性に優れるとともに、吸引される異物による吸引ルーメンの閉塞を抑制することができるという効果を奏する。
【図面の簡単な説明】
【００１２】
【図１】本発明の実施形態の前提となる吸引カテーテルの概略構成を示し、（ａ）は、側面図であり、（ｂ）はＡ−Ａ線断面図である。
【図２】（ａ）は、実施形態１に係る吸引カテーテルの遠位端側の概略構成を示す断面図である。（ｂ）は、実施形態１に係る吸引カテーテルの遠位端側から見た概略構成を示す正面図である。
【図３】吸引チューブの軸線に対して垂直な断面における吸引カテーテルに対する突起部４の占有面積の設定を模式的に示した図である。
【図４】実施形態２に係る吸引カテーテルの遠位端側の概略構成を示す断面図である。
【発明を実施するための形態】
【００１３】
（本実施形態の前提となる吸引カテーテルの構成）
まず、本実施形態の前提となる吸引カテーテルの構成について、説明する。図１は、本実施形態の前提となる吸引カテーテル１１の概略構成を示し、図１の（ａ）は、側面図であり、図１の（ｂ）は断面図である。
【００１４】
図１の（ａ）に示されるように、吸引カテーテル１１は、吸引ルーメンを構成する吸引チューブ１と、ガイドワイヤルーメンを構成するガイドワイヤチューブ２と、を備えている。吸引チューブ１の遠位端には、吸引部３が設けられている。この吸引部３は、血栓などの吸引対象を吸引するための吸引口３ａを有する。吸引口３ａは、吸引チューブ１の軸線に対して傾斜して設けられている。ここで、吸引カテーテルにおける吸引対象側を遠位端側、または遠位側とし、それと反対側を近位端側、または近位側とする。
【００１５】
ガイドワイヤチューブ２は、吸引チューブ１の吸引部３側に設けられている。また、ガイドワイヤチューブ２の遠位端は、吸引部３における最も遠位端側の位置（図２に示す最遠位端位置１ａ）よりも遠位側に位置している。また、ガイドワイヤチューブ２の長さは、例えば、１２０ｍｍである。
【００１６】
また、図１の（ｂ）に示されるように、吸引チューブ１の壁部は、内層１２、補強層１３、及び被覆層１４を備えた積層構造である。内層１２を構成する樹脂は、フッ素系樹脂や高密度ポリエチレンが用いられる。内層１２を構成する樹脂の具体例としては、ポリテトラフルオロエチレン（ＰＴＦＥ）、テトラフルオロエチレン・パーフルオロアルキルビニルエーテル共重合体（ＰＦＡ）、テトラフルオロエチレン・ヘキサフルオロプロピレン共重合体（ＦＥＰ）、テトラフルオロエチレン・エチレン共重合体（ＥＴＦＥ）、ポリビニリデンフルオライド（ＰＶＤＦ）、ポリクロロトリフルオロエチレン（ＰＣＴＦＥ）等が挙げられる。
【００１７】
また、補強層１３は、素線を交互に網目状に編んだ編組形状となっている。補強層１３の素線の材質としては、例えばナイロン繊維等の合成繊維や、Ｔｉ−Ｎｉ、ステンレス鋼等の金属が挙げられる。
【００１８】
被覆層１４は、内層１２及び編組形状の補強層１３を被覆する層である。被覆層１４を構成する樹脂は、エラストマーが用いられる。被覆層１４を構成する樹脂の具体例としては、ポリアミドエラストマー、ポリエステルエラストマー、ポリオレフィンエラストマー等が挙げられる。
【００１９】
〔実施形態１〕
以下、本発明の実施の形態について、詳細に説明する。
【００２０】
本実施形態に係る吸引カテーテルは、図１に示された吸引カテーテル１１における遠位端側の構造に特徴がある。図２の（ａ）は、本実施形態に係る吸引カテーテル１０の遠位端側の概略構成を示す断面図である。図２の（ｂ）は、本実施形態に係る吸引カテーテル１０の遠位端側から見た概略構成を示す正面図である。
【００２１】
吸引カテーテル１０において、吸引部３は、吸引チューブ１の軸線Ｘに対して傾斜して形成された吸引口３ａを有する。このため、吸引部３の遠位端側の端部には、最も遠位端側の最遠位端位置１ａ、及び最も近位端側の最近位端位置１ｂ’が存在する。血管内で、ガイドワイヤはよく血管壁に沿って配置されるため、ガイドワイヤチューブ２に隣接する最遠位端位置１ａは、吸引口３ａにおいて最も血管壁側に配される。一方、最近位端位置１ｂ’は、血管壁から最も遠い位置に配される。
【００２２】
また、ここでは、吸引チューブ１の軸線Ｘを基準として、吸引部３における最遠位端位置１ａ側を上側（第１側）とし、上側と反対側を下側（第２側）としている。なお、上側は、吸引カテーテル１０におけるガイドワイヤチューブ２が設けられた側ともいえる。そして、ガイドワイヤチューブ２と反対側を下側といえる。また、吸引ルーメンＡを形成する内壁（以下、単に吸引ルーメンＡの内壁とする場合もある）において、上側の領域を上側壁１ｃとし、下側の領域を下側壁１ｄとする。
【００２３】
吸引部３における最遠位端位置１ａの形状は、最近位端位置１ｂ’へ向けて下方へ傾斜した形状となっている。また、吸引部３における最近位端位置１ｂ’の形状は、最遠位端位置１ａへ向けて上方へ傾斜した形状となっている。最遠位端位置１ａの部分を鼻部とすると、最近位端位置１ｂ’は、顎部と捉えることができる。
【００２４】
本実施形態に係る吸引カテーテル１０は、図２の（ａ）及び（ｂ）に示されるように、吸引チューブ１における吸引ルーメンＡの内壁に突起部４が設けられている。突起部４は、吸引ルーメンＡの内壁において、吸引部３における最も近位端の領域である最近位端領域１ｂよりも遠位端側に設けられている。ここでいう最近位端領域１ｂとは、吸引部３における最近位端位置１ｂ’から近位端側へ２ｍｍまでの吸引ルーメンＡの内壁領域のことをいう。
【００２５】
鋭意検討した結果、本願発明者は、図２の（ａ）に示されるような、吸引チューブ１の軸線Ｘに対して傾斜して吸引口３ａが設けられた吸引カテーテル１０では、吸引部３の吸引口３ａにおける最近位端領域１ｂでの吸引圧が最も高く、最近位端領域１ｂから遠位端側へ向かうに従い吸引圧が小さくなるという知見を見出した。そして、この知見に基づき、本実施形態に係る吸引カテーテル１０の構成に至った。
【００２６】
吸引カテーテル１０によれば、突起部４は、吸引ルーメンＡの内壁において、最近位端領域１ｂよりも遠位端側に設けられている。すなわち、吸引ルーメンＡでは、吸引部３における比較的吸引圧が低い領域に突起部４が設けられている一方、比較的吸引圧が高い領域には突起部４が設けられていない。
【００２７】
それゆえ、例えば吸引口３ａと同サイズのであり、かつ繊維質が多い血栓が吸引口３ａに吸引された場合、比較的吸引圧が低い領域に吸引された血栓は、突起部４に当接することにより近位端側への移動が係止されるので、血栓にかかる吸引力が低くなる。一方、比較的吸引圧が高い領域に吸引された血栓は、突起部４に当接することなく近位端側へ吸引されるので、血栓にかかる吸引力が高くなる。このように血栓において、突起部４に当接する部分と突起部４に当接しない部分との間で吸引力の差が著しく大きくなる。このため、血栓は、吸引部３にて小さいサイズに分割されて吸引ルーメンＡへ吸引されることになる。その結果、吸引カテーテル１０の構成によれば、血栓を小さいサイズに分割して吸引ルーメンＡへ吸引できるので、血栓による吸引ルーメンＡの閉塞が生じにくくなる。
【００２８】
また、上述のように、吸引カテーテル１０は、吸引ルーメンＡの壁に突起部４を設けるという簡単な構成により、血栓による吸引ルーメンＡの閉塞を抑制するようになっている。それゆえ、血栓による吸引ルーメンＡの閉塞を抑制しつつ、末梢到達性を実現するために、吸引カテーテル１０の寸法を小さくすることが可能となる。
【００２９】
以上のように、吸引カテーテル１０の構成によれば、末梢到達性に優れるとともに、吸引される異物による吸引ルーメンＡの閉塞を抑制することができる。
【００３０】
また、突起部４が吸引ルーメンＡを形成する内壁における上側の領域、すなわち上側壁１ｃに設けられていても、血栓による吸引ルーメンＡの閉塞を抑制することが可能である。
【００３１】
また、突起部４は、吸引ルーメンＡの上側壁１ｃの面と滑らかに連結していることが好ましい。すなわち、突起部４は、吸引ルーメンＡの上側壁１ｃから滑らかに隆起した形状であることが好ましい。ここでいう「上側壁１ｃの面と滑らかに連結」とは、上側壁１ｃの面と段差を形成せず連続した曲面を形成するように連結することを意味する。
【００３２】
また、突起部４は、複数設けられていることが好ましい。これにより、吸引口３ａから吸引された血栓は、突起部４に当接する機会が増加する。このため、より確実に血栓を小さいサイズに分割することが可能となる。また、突起部４が複数設けられている場合、複数の突起部４は、図２の（ｂ）に示されるように、吸引チューブ１の軸線Ｘに垂直な方向に、互いに離間して設けられていることが好ましい。それゆえ、複数の突起部４に当接した血栓は、突起部４間の隙間部分に生じた吸引圧により、吸引力がかかり、分割される、あるいは圧縮される。なお、突起部４は、２つ設けられた図２の（ｂ）に示される構成に限定されず、３つ以上設けられていてもよい。また、突起部４は、１つ設けられていてもよい。
【００３３】
図３は、吸引チューブ１の軸線Ｘに対して垂直な断面における吸引カテーテル１１に対する突起部４の占有面積の設定を模式的に示した図である。後述するように突起部４の占有面積が設定されていれば、血栓による吸引ルーメンＡの閉塞を抑制することが可能である。
【００３４】
まず、吸引ルーメンＡに対する突起部４の許容最大占有面積について説明する。ここでいう許容最大占有面積とは、軸線Ｘに対して垂直な断面における、吸引ルーメンＡ中に占める突起部４の許容面積の最大値を意味する。
【００３５】
図３に示されるように、突起部４の許容最大占有面積Ｓｂ（ｍａｘ）、Ｓ（ｍａｘ）、及びＳａ（ｍａｘ）は、突起部４の位置１ｘに応じて異なるように設定される。最近位端領域１ｂに設けられたときの突起部４の許容最大占有面積Ｓｂ（ｍａｘ）は、吸引ルーメンＡの面積Ｓ１の１／２（すなわち、５０％）である。なお、吸引ルーメンＡの面積Ｓ１は、軸線Ｘに対して垂直な断面における、吸引ルーメンＡを構成する壁により囲まれた領域の面積である。突起部４は、最近位端領域１ｂの例えば上側壁１ｃにおいて、許容最大占有面積Ｓｂ（ｍａｘ）を超えない範囲で設けられる。例えば、突起部４の高さ（吸引ルーメンＡの内壁から突出寸法）は、上側壁１ｃと下側壁１ｄとの距離の５０％を超えない範囲で設定される。吸引ルーメンＡが円筒状に形成されている場合、吸引ルーメンＡの直径の５０％を超えない範囲で突起部４の高さが設定される。
【００３６】
また、最近位端領域１ｂから遠位端側の領域において、突起部４の許容最大占有面積Ｓ（ｍａｘ）は、許容最大占有面積Ｓｂ（ｍａｘ）よりも大きく、最近位端領域１ｂから遠位端へ向かうに従って、突起部４が設けられた位置１ｘに比例して増加している。ここでいう突起部４が設けられた位置１ｘとは、図３に示す位置Ｏを原点としたときの位置である。位置Ｏは、最近位端位置１ｂ’を通過する上側壁１ｃの垂線と上側壁１ｃとの交点であるといえる。換言すれば、突起部４の許容最大占有面積Ｓ（ｍａｘ）は、突起部４の位置１ｘが最近位端領域１ｂから遠位端側へ離れるに従って、増加する。
【００３７】
突起部４は、最近位端領域１ｂから遠位端側の領域において、上記のように設定した許容最大占有面積Ｓ（ｍａｘ）を超えない範囲で設けられる。例えば、突起部４の高さは、最近位端領域１ｂから遠位端へ向かうに従って、突起部４が設けられた位置１ｘに比例して増加するように設定される。
【００３８】
そして、最遠位端位置１ａに設けられたときの突起部４の許容最大占有面積Ｓａ（ｍａｘ）は、許容最大占有面積Ｓ（ｍａｘ）よりも小さく、吸引ルーメンＡの面積Ｓ１の１００％である。突起部４は、最遠位端位置１ａにおいて、許容最大占有面積Ｓａ（ｍａｘ）を超えない範囲で設けられる。例えば、突起部４の高さは、上側壁１ｃと下側壁１ｄとの距離の１００％を超えない範囲で設定される。
【００３９】
次に、吸引ルーメンＡに対する突起部４の許容最小占有面積について説明する。ここでいう許容最小占有面積とは、軸線Ｘに対して垂直な断面における、吸引ルーメンＡ中に占める突起部４の許容面積の最小値を意味する。
【００４０】
図３に示されるように、突起部４の許容最小占有面積Ｓｂ（ｍｉｎ）、Ｓ（ｍｉｎ）、及びＳａ（ｍｉｎ）は、突起部４の位置１ｘに応じて同じであり、吸引ルーメンＡの面積Ｓ１の１０分の１、すなわち１０％である。突起部４は、最近位端領域１ｂから最遠位端位置１ａまでの領域において、許容最小占有面積Ｓｂ（ｍｉｎ）、Ｓ（ｍｉｎ）、及びＳａ（ｍｉｎ）よりも小さくならない範囲で設けられる。例えば、突起部４の高さは、最近位端領域１ｂから最遠位端位置１ａまでの領域において、上側壁１ｃと下側壁１ｄとの距離の１０％よりも小さくならない範囲で設定される。
【００４１】
〔実施形態２〕
以下、本発明の他の実施の形態について、詳細に説明する。図４は、本実施形態に係る吸引カテーテル１０の遠位端側の概略構成を示す断面図である。
【００４２】
本実施形態に係る吸引カテーテル１０Ａは、突起部４Ａが最近位端領域１ｂにおける下側壁１ｄに設けられている点で、図２の（ａ）及び（ｂ）に示された実施形態１に係る吸引カテーテル１０と異なる。
【００４３】
上述したように、最近位端領域１ｂは、最近位端位置１ｂ’から近位端側へ２ｍｍまでの吸引ルーメンＡの側壁領域である。このような最近位端領域１ｂ内では、突起部４Ａは、図２の（ａ）及び（ｂ）に示されるような上側壁１ｃに設けられた構成に限定されず、吸引ルーメンＡの内壁に設けられていればよい。特に、図４に示されるように、突起部４Ａは、最近位端位置１ｂ’近傍の下側壁１ｄに設けられていることが好ましい。
【００４４】
これにより、血栓は、突起部４Ａによる圧縮効果によりサイズが小さくなって、吸引ルーメンＡへ吸引される。このため、吸引カテーテル１０Ａの構成によれば、血栓による吸引ルーメンＡの閉塞が生じにくい。
【００４５】
なお、実施形態１及び２に係る吸引カテーテル１０及び１０Ａは、例えば、次の工程（１）〜（３）を含む製造方法により製造され得る。工程（１）従来公知の製造方法により吸引チューブ１となる吸引チューブ材料及びガイドワイヤチューブ２となるガイドワイヤチューブ材料を溶着する。工程（２）この溶着体について、少なくとも吸引チューブ材料の遠位端側の開口が傾斜した吸引口３ａとなるように溶着体の遠位端部を切除する。工程（３）吸引チューブ材料の遠位端側の開口（吸引口３ａ）近傍の内腔（吸引ルーメンＡに対応）内に突起部４となる部材を接着する。
【００４６】
〔まとめ〕
本発明の一実施形態に係る吸引カテーテル１０は、遠位端に吸引部３を有する吸引ルーメンＡを備えた吸引チューブ１を備え、吸引部３は、吸引チューブ１の軸線Ｘに対して傾斜して形成された吸引口３ａを有する吸引カテーテル１０であって、吸引ルーメンＡの内壁に突起部４が設けられ、突起部４は、吸引ルーメンＡを形成する内壁において、吸引部３における最も近位端側の領域である最近位端領域１ｂよりも遠位端側に設けられていることを特徴としている。
【００４７】
ここで、吸引部３に吸引チューブ１の軸線Ｘに対して傾斜して形成された吸引口３ａを有する吸引カテーテル１０では、吸引圧の分布は、吸引部３における最も近位端側の領域である最近位端領域１ｂでの吸引圧が最も高く、最近位端領域１ｂから遠位端側へ向かうに従い吸引圧が小さくなる分布となる。上記の構成によれば、突起部４は、吸引ルーメンＡを形成する内壁において、吸引部３における最も近位端側の領域である最近位端領域１ｂよりも遠位端側に設けられているので、吸引部３における比較的吸引圧が低い領域に突起部４が設けられている一方、比較的吸引圧が高い領域には突起部４が設けられていない。例えば吸引口３ａと同サイズの繊維質が多い血栓が吸引口３ａへ吸引された場合、比較的吸引圧が低い領域に吸引された血栓は、突起部に当接して近位端側への移動が係止されるので、比較的低い吸引力がかかる。一方、比較的吸引圧が高い領域に吸引された血栓は、突起部に当接することなく近位端側へ吸引されるので、比較的高い吸引力がかかる。このように血栓において、突起部４が当接する部分と突起部４が当接しない部分との間で吸引力の差が著しく大きくなるので、血栓は、吸引部３にて小さいサイズに分割されて吸引ルーメンＡへ吸引されることになる。その結果、上記の構成によれば、血栓を小さいサイズに分割して吸引ルーメンへ吸引できるので、血栓による吸引ルーメンの閉塞が生じにくい吸引カテーテルを実現できる。
【００４８】
また、上記の構成によれば、吸引ルーメンＡを形成する壁に突起部４を設けるという簡単な構成により、血栓による吸引ルーメンＡの閉塞を抑制するようになっている。それゆえ、血栓による吸引ルーメンＡの閉塞を抑制しつつ、末梢到達性を実現するために、吸引カテーテル１０の寸法を小さくすることが可能となる。
【００４９】
したがって、上記の構成によれば、末梢到達性に優れるとともに、吸引される異物による吸引ルーメンＡの閉塞を抑制することができる。
【００５０】
また、本発明の一実施形態に係る吸引カテーテル１０では、吸引チューブ１の軸線Ｘを基準として、吸引部３における最も遠位端側の最遠位端位置１ａ側を上側（第１側）とし、該上側（第１側）と反対側を下側（第２側）としたとき、突起部４は、吸引ルーメンＡを形成する内壁における上側（第１側）の領域、すなわち上側壁１ｃに設けられていることが好ましい。
【００５１】
上記の構成のように、突起部４が吸引ルーメンＡを形成する内壁における上側（第１側）の領域に設けられていても、血栓による吸引ルーメンＡの閉塞を抑制することが可能である。
【００５２】
また、本発明の一実施形態に係る吸引カテーテル１０では、軸線Ｘに対して垂直な断面での吸引ルーメンＡに対する突起部４の許容最大占有面積Ｓｂ（ｍａｘ）、Ｓ（ｍａｘ）、及びＳａ（ｍａｘ）は、最近位端領域１ｂから遠位端へ向かうに従って、突起部４が設けられた位置１ｘに比例して増加し、最近位端領域１ｂに設けられたときの許容最大占有面積Ｓｂ（ｍａｘ）は、吸引ルーメンＡの面積Ｓ１の５０％であり、吸引部３における最も遠位端側の最遠位端位置１ａに設けられたときの許容最大占有面積Ｓａ（ｍａｘ）は、吸引ルーメンの面積Ｓ１の１００％であることが好ましい。
【００５３】
上記の構成のような許容最大占有面積Ｓｂ（ｍａｘ）、Ｓ（ｍａｘ）、及びＳａ（ｍａｘ）を満たす範囲内で突起部４の占有面積が設定されていれば、血栓による吸引ルーメンＡの閉塞を抑制することが可能である。
【００５４】
また、本発明の一実施形態に係る吸引カテーテル１０では、軸線Ｘに対して垂直な断面における吸引ルーメンＡに対する突起部４の許容最小占有面積Ｓｂ（ｍｉｎ）、Ｓ（ｍｉｎ）、及びＳａ（ｍｉｎ）は、吸引ルーメンの面積Ｓ１の１０％である。
【００５５】
上記の構成のような許容最小占有面積Ｓｂ（ｍｉｎ）、Ｓ（ｍｉｎ）、及びＳａ（ｍｉｎ）を満たす範囲内で突起部４の占有面積が設定されていれば、血栓による吸引ルーメンＡの閉塞を抑制することが可能である。
【００５６】
また、本発明の一実施形態に係る吸引カテーテル１０では、突起部４は、複数設けられていることが好ましい。これにより、吸引口３ａから吸引された血栓は、突起部４に当接する機会が増加する。
【００５７】
本発明の一実施形態に係る吸引カテーテル１０では、突起部４が複数設けられている場合、複数の突起部４は、吸引チューブ１の軸線Ｘに垂直な方向に、互いに離間して設けられていることが好ましい。
【００５８】
上記の構成によれば、複数の突起部４に当接した血栓は、突起部４間の隙間部分に生じた吸引圧により、吸引力がかかり、分割される、あるいは圧縮される。
【００５９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６０】
１                                        吸引チューブ
１ａ                                        最遠位端位置
１ｂ                                        最近位端領域
１ｂ’                                      最近位端位置
１ｃ                                        上側壁
１ｄ                                        下側壁
１ｘ                                        位置
２                                        ガイドワイヤチューブ
３                                        吸引部
３ａ                                        吸引口
４、４Ａ                                    突起部
１０、１０Ａ                                吸引カテーテル
Ａ                                          吸引ルーメン
Ｓ１                                         面積
Ｓａ（ｍａｘ）、Ｓｂ（ｍａｘ）、Ｓ（ｍａｘ）  許容最大占有面積
Ｓａ（ｍｉｎ）、Ｓｂ（ｍｉｎ）、Ｓ（ｍｉｎ）  許容最小占有面積
【図１】
2019013667.tif 000003
【図２】
2019013667.tif 000004
【図３】
2019013667.tif 000005
【図４】
2019013667.tif 000006